(57)【要約】【課題】  端子台での配線作業をきわめて容易に、かつ速やかに行うことができるモータ制御装置を提供する。【課題手段】  筐体２を有するモータ制御装置本体１を、ねじ５を備えた端子台４を有する筐体ベース３上に取り付けてなるモータ制御装置において、端子台４の一方側に端子接続用のねじ５を取り付けるとともに、他方側に端子側係合部４ｂを設け、かつ筐体２に、端子側係合部４ｂに係合する筐体側係合部２ａを設ける。【選択図】        図１
2007049806.tif 000002
【特許請求の範囲】
【請求項１】
筐体を有するモータ制御装置本体を、ねじを備えた端子台を有する筐体ベース上に取り付けてなるモータ制御装置において、
前記端子台の一方側に端子接続用のねじを取り付けるとともに、他方側に端子側係合部を設け、かつ前記筐体に、前記端子側係合部に係合する筐体側係合部を設けたことを特徴とするモータ制御装置。
【請求項２】
前記筐体側係合部が、前記筐体の側板を切り欠いて歯状に形成したものであることを特徴とする請求項１に記載のモータ制御装置。
【請求項３】
前記端子側係合部が、端子台に設けた孔または切欠きであることを特徴とする請求項１に記載のモータ制御装置。
【請求項４】
前記端子側係合部が凹部であることを特徴とする請求項１に記載のモータ制御装置。
【発明の詳細な説明】
【技術分野】
【０００１】
本発明は、モータ制御装置に関するもので、特に端子台の取り付け構造に関するものである。
【背景技術】
【０００２】
従来の例えばインバータ装置などのモータ制御装置の端子台の取り付け構造は、図２に示すように構成されている。
図２において、１１はモータ制御装置本体で、１２は前記モータ制御装置本体１１の筐体である。また、１３は前記モータ制御装置本体１１を取付けるための機能を持たせた部位で、前記筐体１２を支える筐体ベースである。１４は端子台で、１５は前記端子台１４に端子（図示せず）を取付けるねじである。前記端子台１４は、前記筐体ベース１３に前記ねじ１５で締め付けて固定する構成となっている。
前記モータ制御装置本体１１は、操作するために配線作業を行う。この時、前記端子台１４に配線するために、前記ねじ１５を緩める作業が必要であるが、前記ねじ１５を緩めると前記端子台１４が連れ回りを起こし、また回転によって位置が変わってしまう。また、前記ねじ１５を完全に緩めないと配線作業ができない場合は、前記ねじ１５を取り外すと前記端子台１４が脱落するため、配線作業を行う際は、作業者は、ドライバーを持たない片方の手で前記端子台１４を支えるなどの処置をして配線作業を行っている。
このように、従来のモータ制御装置においての配線作業では、ねじ１５を緩める時に回転または脱落をしないように端子台１４を支えること、ねじ１５を取り外す時に端子台１４が脱落をしないようにすることを、充分注意をして慎重に配線作業を行っているのである。
【特許文献１】特開平８−５６０８６号公報
【発明の開示】
【発明が解決しようとする課題】
【０００３】
しかしながら、このような従来技術においては、次のような問題があった。
（１）従来のモータ制御装置の配線作業は、端子台に配線する時にねじを緩めるが、この時に端子台が回転するため、端子台を支えるなどの処置をして配線作業を行わなければならず、作業性が非常に悪い。
（２）ねじを完全に緩めて取り外さないと配線作業ができない場合があるが、ねじを取り外すと端子台が脱落してしまう。そのため作業者は、回転および脱落を防ぐために端子台を支えるなどの処置をして配線作業を行う必要があり、作業性が悪い。また、それだけではなく、ねじを落とさないような慎重な作業が要求されるため、作業者が疲れてしまう。
本発明は、このような問題を解決するためになされたもので、端子台での配線作業をきわめて容易に、かつ速やかに行うことができるモータ制御装置を提供することを目的とするものである。
【課題を解決するための手段】
【０００４】
上記問題を解決するため、本発明は、次のように構成したものである。
請求項１に記載の発明は、筐体を有するモータ制御装置本体を、ねじを備えた端子台を有する筐体ベース上に取り付けてなるモータ制御装置において、前記端子台の一方側に端子接続用のねじを取り付けるとともに、他方側に端子側係合部を設け、かつ前記筐体に、前記端子側係合部に係合する筐体側係合部を設けたことを特徴とするものである。
請求項２に記載の発明は、前記筐体側係合部が、前記筐体の側板を切り欠いて歯状に形成したものであることを特徴とするものである。
請求項３に記載の発明は、前記端子側係合部が、端子台に設けた孔または切欠きであることを特徴とするものである。
請求項４に記載の発明は、前記端子側係合部が凹部であることを特徴とするものである。
【発明の効果】
【０００５】
本発明によれば、次のような効果がある。
請求項１に記載の発明によると、モータ制御装置本体を筐体ベースに固定する際に端子台も一緒に固定することができるので、端子台から端子接続用のねじをはずしても端子台が脱落することがなく、作業性が大きく向上する。また、端子を端子台にねじで締付ける際も、端子台がねじと一緒に連れ回りすることがなく、端子の接続作業を効率よく行うことができる。
請求項２の発明によると、筐体に別個に係合部を取り付ける必要がなく、製造が安価に、かつ容易になる。
請求項３の発明によると、筐体の係合部を孔または切欠きに挿入して係合するので、係合が確実に行え、作業性が向上する。
請求項４の発明によると、端子台に凹部を設けるだけで切り落としの必要がないので、端子台の製造が安価に、かつ容易になる。また、端子台を押さえるので、ねじをはずした際に端子台が上下方向に動くことがない。
【発明を実施するための最良の形態】
【０００６】
以下、本発明の実施例を図に基づいて説明する。
【実施例】
【０００７】
図１は、本発明の実施例におけるモータ制御装置を示す図で、（ａ）は筐体を筐体ベースに取り付けた後の状態を示し、（ｂ）は筐体を筐体ベースに取り付ける前の状態を示している。
図１において、１は例えばインバータ装置などのモータ制御装置の本体で、２は前記モータ制御装置本体１の筐体である。前記筐体２には、前記筐体２の側板を切り欠いて歯状に形成した筐体側係合部２ａを設けている。また、３は前記モータ制御装置本体１を取付ける筐体ベースで、前記筐体２を支えている。４は端子台で、前記一方側にねじ締付け部４ａを設けるとともに、他方側に端子側係合部４ｂを設けている。前記端子側係合部４ｂは、本実施例では長孔で構成しているが、切欠きや凹部でもよい。５は前記端子台４に端子（図示せず）を取付けるねじである。
このような構成において、前記端子台４の前記筐体ベース３への取り付け、および端子台４への端子の取り付けは次のようにして行う。
まず、端子台４をねじ５によって、筐体ベース３に取付ける。その後、筐体２を筐体ベース３に取付けるが、この時、筐体２の筐体側係合部２ａを、端子台４の端子側係合部４ｂに差し込んで係合し、端子台４の動きを止める。
次に、この状態で、前記端子台４のねじ５をはずす。この際、端子台４は、端子側係合部４ｂが、筐体２の筐体側係合部２ａと係合しているので、つまり回り止めがなされているので、ねじ５を緩める際にねじ５の回転に合わせて連れ回りすることはない。また、端子台４からねじ５をはずしても端子台４は落下することはない。
図示しない端子の穴にねじ５を差し込んで、再び端子台４のねじ締付け部４ａに通して筐体ベース３に締め付ける際にも、ねじ５の回転によって端子台４が回転することはない。
なお、筐体２に設ける筐体側係合部２ａと端子台４に設ける端子側係合部４ｂは、１個所でも複数個所でもかまわない。
【０００８】
このように、筐体２と端子台４にそれぞれ係合部２ａ，４ｂを設け、筐体２を筐体ベース３に取付けた時に、筐体２と端子台４のそれぞれの係合部２ａ，４ｂが係合し、筐体２が端子台４を固定するような構成としているので、作業者がわざわざ端子台４を支えるなどしなくても、容易にかつ速やかに配線作業を行うことができる。
【図面の簡単な説明】
【０００９】
【図１】本発明の実施例におけるモータ制御装置を示す図で、（ａ）は筐体を筐体ベースに取り付けた後の状態を示し、（ｂ）は筐体を筐体ベースに取り付ける前の状態を示している。
【図２】従来技術におけるモータ制御装置を示す斜視図である。
【符号の説明】
【００１０】
１  モータ制御装置本体
２  筐体
２ａ  筐体側係合部
３  筐体ベース
４  端子台
４ａ  ねじ締付け部
４ｂ  端子側係合部
５  ねじ
１１  モータ制御装置本体
１２  筐体
１３  筐体ベース
１４  端子台
１５  ねじ
【図１】
2007049806.tif 000003
【図２】
2007049806.tif 000004